(57)【要約】【課題】管理サーバーから受信した画面情報に基づいた画面を表示画面に表示させることに伴う制御回路の制御負荷の増大を抑制することができる電子機器、及び電子機器における表示制御方法を提供する。【解決手段】複合機２０は、表示画面２３２を有するユーザーインターフェース２３と、複合機２０の制御を司る第１の制御回路５０と、管理サーバー４０との通信を司る第２の制御回路６０とを備える。第１の制御回路５０は、複合機２０で用意したネイティブ画面情報に基づいたネイティブ画面を表示画面２３２に表示させる。第２の制御回路６０は、管理サーバー４０からブラウザー画面情報を受信し、同ブラウザー画面情報に基づいたブラウザー画面を表示画面２３２に表示させる。【選択図】図３
2016058952.tif 000002
【特許請求の範囲】
【請求項１】
管理サーバーとネットワークを介して通信可能な電子機器であって、
表示画面を有するユーザーインターフェースと、
前記電子機器の制御を司る第１の制御回路と、
前記管理サーバーとの通信を司る第２の制御回路と、を備え、
前記第１の制御回路は、前記電子機器で用意した画面情報であるネイティブ画面情報に基づいた画面を前記表示画面に表示させ、
前記第２の制御回路は、前記管理サーバーから画面情報を受信し、同画面情報に基づいた画面を前記表示画面に表示させる
ことを特徴とする電子機器。
【請求項２】
前記第１の制御回路は、表示制御を行う制御回路を決定するようになっており、
前記第２の制御回路は、同第２の制御回路による表示制御を前記第１の制御回路が許可しているときに、前記管理サーバーから画面情報を受信し、同画面情報に基づいた画面を前記表示画面に表示させる
請求項１に記載の電子機器。
【請求項３】
前記ユーザーインターフェースは、タッチパネルを有し、
前記タッチパネルが操作されたときには、同タッチパネルの操作に関する情報であるパネル操作情報が、前記第１及び第２の制御回路の何れか一方の制御回路に入力されるようになっており、
前記一方の制御回路は、前記第１及び第２の制御回路の何れか他方の制御回路が表示制御を行っているときには、入力された前記パネル操作情報を同他方の制御回路に出力し、
前記他方の制御回路は、前記一方の制御回路から入力された前記パネル操作情報に応じた処理を実行する
請求項２に記載の電子機器。
【請求項４】
前記ユーザーインターフェースは、タッチパネルを有し、
前記タッチパネルが操作されたときには、同タッチパネルの操作に関する情報であるパネル操作情報が、前記第２の制御回路に入力されるようになっており、
前記第２の制御回路は、前記第１の制御回路が表示制御を行っているときには、入力された前記パネル操作情報を同第１の制御回路に出力し、
前記第１の制御回路は、前記第２の制御回路から入力された前記パネル操作情報に応じた処理を実行する
請求項２に記載の電子機器。
【請求項５】
前記ユーザーインターフェースは、押しボタン式のハードキーを有し、
前記ハードキーが操作されたときには、同ハードキーの操作に関する情報であるキー操作情報が、前記第１の制御回路に入力されるようになっており、
前記第１の制御回路は、入力された前記キー操作情報に応じた処理を実行する
請求項２又は請求項４に記載の電子機器。
【請求項６】
画面情報が記憶される表示情報記憶部を備え、同表示情報記憶部に記憶されている画面情報に応じた画面が前記表示画面に表示されるようになっており、
前記第１の制御回路には、ネイティブ画面用記憶部が設けられ、
前記第１の制御回路は、前記第２の制御回路による表示制御を許可したときには、前記表示情報記憶部に記憶されている前記ネイティブ画面情報を前記ネイティブ画面用記憶部に退避させ、
前記第２の制御回路は、同第２の制御回路による表示制御が前記第１の制御回路によって許可されたときには、前記ネイティブ画面情報が前記ネイティブ画面用記憶部に退避されたことを契機に、前記管理サーバーから受信した画面情報を前記表示情報記憶部に記憶させ、同表示情報記憶部に記憶されている画面情報に基づいた画面を前記表示画面に表示させる
請求項２〜請求項５のうち何れか一項に記載の電子機器。
【請求項７】
ネットワークを介して管理サーバーと通信する電子機器における表示制御方法であって、
前記電子機器は、表示画面と、同電子機器の制御を司る第１の制御回路と、前記管理サーバーとの通信を司る第２の制御回路と、を備えており、
前記第１の制御回路に、前記電子機器で用意した画面情報であるネイティブ画面情報に基づいた画面を前記表示画面に表示させる第１の表示ステップと、
前記第２の制御回路に、前記管理サーバーから画面情報を受信させ、同画面情報に基づいた画面を前記表示画面に表示させる第２の表示ステップと、を実行させる
ことを特徴とする電子機器における表示制御方法。
【発明の詳細な説明】
【技術分野】
【０００１】
本発明は、表示画面を有する電子機器と、同電子機器における表示制御方法とに関する。
【背景技術】
【０００２】
特許文献１には、ウェブブラウザー機能を有する複合機（電子機器の一例）が記載されている。こうした複合機では、印刷、コピー及びスキャンなどの各種処理が実行可能である。また、こうした複合機の制御装置には、ＣＰＵ及びメモリーを有するマイクロコンピューター（制御回路）が設けられている。そして、例えばユーザーによって印刷の実行が要求されると、こうしたマイクロコンピューターによって印刷部の駆動が制御されることにより、用紙に印刷が施される。
【０００３】
また、複合機のユーザーインターフェースには、表示画面が設けられている。この表示画面には、複合機の制御装置で予め用意されている画面又は制御装置で作成された画面であるネイティブ画面を表示させたり、複合機と通信可能な管理サーバーで作成された画面であるブラウザー画面を表示させたりすることが可能である。
【先行技術文献】
【特許文献】
【０００４】
【特許文献１】特開２０１４−４８７４６号公報
【発明の概要】
【発明が解決しようとする課題】
【０００５】
ところで、ブラウザー画面を表示画面に表示させる場合、ブラウザー画面に関する情報であるブラウザー画面情報をマイクロコンピューターが管理サーバーから受信（ダウンロード）し、同ブラウザー画面情報に基づいたブラウザー画面をマイクロコンピューターが表示画面に表示させることとなる。このように表示制御を行うマイクロコンピューターは、印刷などの各種処理も行っており、マイクロコンピューターの制御負荷の増大を招くこととなる。
【０００６】
本発明の目的は、管理サーバーから受信した画面情報に基づいた画面を表示画面に表示させることに伴う制御回路の制御負荷の増大を抑制することができる電子機器、及び電子機器における表示制御方法を提供することにある。
【課題を解決するための手段】
【０００７】
上記目的を達成するための電子機器は、管理サーバーとネットワークを介して通信可能な電子機器であって、表示画面を有するユーザーインターフェースと、前記電子機器の制御を司る第１の制御回路と、前記管理サーバーとの通信を司る第２の制御回路と、を備え、前記第１の制御回路は、前記電子機器で用意した画面情報であるネイティブ画面情報に基づいた画面を前記表示画面に表示させ、前記第２の制御回路は、前記管理サーバーから画面情報を受信し、同画面情報に基づいた画面を前記表示画面に表示させる。
【０００８】
上記構成によれば、電子機器で用意したネイティブ画面情報に基づいた画面を表示画面に表示させるときには、電子機器の制御を司る第１の制御回路によって表示制御が行われる。一方、管理サーバーから受信した画面情報に基づいた画面を表示画面に表示させるときには、第１の制御回路ではなく、管理サーバーとの通信を司る第２の制御回路によって表示制御が行われる。このように表示制御を２つの制御回路で分担させることにより、管理サーバーから受信した画面情報に基づいた画面を表示画面に表示させることに伴う第１の制御回路の制御負荷の増大を抑制することができるようになる。
【０００９】
上記電子機器において、前記第１の制御回路は、表示制御を行う制御回路を決定するようになっており、前記第２の制御回路は、同第２の制御回路による表示制御を前記第１の制御回路が許可しているときに、前記管理サーバーから画面情報を受信し、同画面情報に基づいた画面を前記表示画面に表示させることが好ましい。
【００１０】
上記構成によれば、表示制御を第１の制御回路で行うか第２の制御回路で行うかの判断は、第１の制御回路によって行われる。そのため、ネイティブ画面情報に基づいた画面から、管理サーバーから受信した画面情報に基づいた画面に切り替える場合、表示制御を行う制御回路が第１の制御回路から第２の制御回路に円滑に変更されるため、表示画面の内容を円滑に切り替えることができる。同様に、管理サーバーから受信した画面情報に基づいた画面から、ネイティブ画面情報に基づいた画面に切り替える場合、表示制御を行う制御回路が第２の制御回路から第１の制御回路に円滑に変更されるため、表示画面の内容を円滑に切り替えることができる。
【００１１】
上記電子機器において、前記ユーザーインターフェースは、タッチパネルを有し、前記タッチパネルが操作されたときには、同タッチパネルの操作に関する情報であるパネル操作情報が、前記第１及び第２の制御回路の何れか一方の制御回路に入力されるようになっており、前記一方の制御回路は、前記第１及び第２の制御回路の何れか他方の制御回路が表示制御を行っているときには、入力された前記パネル操作情報を同他方の制御回路に出力し、前記他方の制御回路は、前記一方の制御回路から入力された前記パネル操作情報に応じた処理を実行することが好ましい。
【００１２】
上記構成によれば、表示制御を行っている制御回路が第１の制御回路であっても第２の制御回路であっても、タッチパネルの操作に関するパネル操作情報は、上記一方の制御回路に入力される。そのため、第１の制御回路が表示制御を行っているときにはパネル操作情報を第１の制御回路に入力させ、第２の制御回路が表示制御を行っているときにはパネル操作情報を第２の制御回路に入力させる構成の場合と比較し、パネル操作情報の入力先を切り替える構成を必要としない分、電子機器としての構成の複雑化を抑制することができる。
【００１３】
また、上記他方の制御回路が表示制御を行っている場合、パネル操作情報は、上記一方の制御回路を介して上記他方の制御回路に入力される。そのため、上記他方の制御回路では、タッチパネルを操作したユーザーの要求に応じた処理を実行することが可能となる。
【００１４】
上記電子機器において、前記ユーザーインターフェースは、タッチパネルを有し、前記タッチパネルが操作されたときには、同タッチパネルの操作に関する情報であるパネル操作情報が、前記第２の制御回路に入力されるようになっており、前記第２の制御回路は、前記第１の制御回路が表示制御を行っているときには、入力された前記パネル操作情報を同第１の制御回路に出力し、前記第１の制御回路は、前記第２の制御回路から入力された前記パネル操作情報に応じた処理を実行することが好ましい。
【００１５】
上記構成によれば、表示制御を行っている制御回路が第１の制御回路であっても第２の制御回路であっても、タッチパネルの操作に関するパネル操作情報は、管理サーバーとの通信を司る第２の制御回路に入力される。そのため、第１の制御回路が表示制御を行っているときにはパネル操作情報を第１の制御回路に入力させ、第２の制御回路が表示制御を行っているときにはパネル操作情報を第２の制御回路に入力させる構成の場合と比較し、パネル操作情報の入力先を切り替える構成を必要としない分、電子機器としての構成の複雑化を抑制することができる。
【００１６】
また、第１の制御回路が表示制御を行っている場合、パネル操作情報は、第２の制御回路を介して第１の制御回路に入力される。そのため、第１の制御回路では、タッチパネルを操作したユーザーの要求に応じた処理を実行することが可能となる。
【００１７】
なお、第２の制御回路が表示制御を行っている場合、第２の制御回路は、入力されたパネル操作情報を管理サーバーに送信することがある。パネル操作情報を第１の制御回路に入力させる構成の電子機器を比較例の電子機器とした場合、同比較例の電子機器では、パネル操作情報は、第１の制御回路及び第２の制御回路を介して管理サーバーに送信されることとなり、管理サーバーにパネル操作情報が伝わるのに遅延が生じやすくなる。この点、上記構成では、パネル操作情報は第２の制御回路に入力されるため、比較例の電子機器とは異なり、管理サーバーにパネル操作情報が伝わるのに遅延が生じにくい。したがって、電子機器及び管理サーバーを備えるシステムにおける処理の高速化に貢献することができるようになる。
【００１８】
上記電子機器において、前記ユーザーインターフェースは、押しボタン式のハードキーを有し、前記ハードキーが操作されたときには、同ハードキーの操作に関する情報であるキー操作情報が、前記第１の制御回路に入力されるようになっており、前記第１の制御回路は、入力された前記キー操作情報に応じた処理を実行することが好ましい。
【００１９】
上記構成によれば、表示制御を行っている制御回路が第１の制御回路であっても第２の制御回路であっても、ハードキーの操作に関するキー操作情報は、第１の制御回路に入力される。そのため、第１の制御回路が表示制御を行っているときにはキー操作情報を第１の制御回路に入力させ、第２の制御回路が表示制御を行っているときにはキー操作情報を第２の制御回路に入力させる構成の場合と比較し、キー操作情報の入力先を切り替える構成を必要としない分、電子機器としての構成の複雑化を抑制することができる。
【００２０】
上記電子機器は、画面情報が記憶される表示情報記憶部を備え、同表示情報記憶部に記憶されている画面情報に応じた画面が前記表示画面に表示されるようになっており、前記第１の制御回路には、ネイティブ画面用記憶部が設けられ、前記第１の制御回路は、前記第２の制御回路による表示制御を許可したときには、前記表示情報記憶部に記憶されている前記ネイティブ画面情報を前記ネイティブ画面用記憶部に退避させ、前記第２の制御回路は、同第２の制御回路による表示制御が前記第１の制御回路によって許可されたときには、前記ネイティブ画面情報が前記ネイティブ画面用記憶部に退避されたことを契機に、前記管理サーバーから受信した画面情報を前記表示情報記憶部に記憶させ、同表示情報記憶部に記憶されている画面情報に基づいた画面を前記表示画面に表示させることが好ましい。
【００２１】
上記構成によれば、ネイティブ画面から、管理サーバーから受信した画面情報に基づいた画面に切り替える際には、ネイティブ画面情報が表示情報記憶部からネイティブ画面用記憶部に退避され、管理サーバーから第２の制御回路が受信した画面情報が表示情報記憶部に記憶され、同画面情報に基づいた画面が表示画面に表示される。そのため、表示画面上の画面を１つ前の画面に戻すことをユーザーが要求したときには、ネイティブ画面用記憶部に退避されたネイティブ画面情報を表示情報記憶部に戻すことにより、表示画面上の表示を１つ前の画面に速やかに戻すことができる。すなわち、表示画面の内容を速やかに切り替えることができるようになる。
【００２２】
また、上記目的を達成するための電子機器における表示制御方法は、ネットワークを介して管理サーバーと通信する電子機器における表示制御方法であって、前記電子機器は、表示画面と、同電子機器の制御を司る第１の制御回路と、前記管理サーバーとの通信を司る第２の制御回路と、を備えており、前記第１の制御回路に、前記電子機器で用意した画面情報であるネイティブ画面情報に基づいた画面を前記表示画面に表示させる第１の表示ステップと、前記第２の制御回路に、前記管理サーバーから画面情報を受信させ、同画面情報に基づいた画面を前記表示画面に表示させる第２の表示ステップと、を実行させる。
【００２３】
上記構成によれば、上記電子機器と同等の作用効果を得ることができる。
【図面の簡単な説明】
【００２４】
【図１】電子機器の一実施形態である複合機を備える処理管理システムの概略構成図。
【図２】複合機のユーザーインターフェースの一例を示す模式図。
【図３】複合機の概略構成を示すブロック図。
【図４】複合機へのログインを促す画面を示す図。
【図５】複合機で利用の許可されている処理を表示する画面の一例を示す図。
【図６】選択可能な印刷ジョブを一覧で表示する画面の一例を示す図。
【図７】コピーの実行に先立って各種の条件の選択を促す画面の一例を示す図。
【図８】表示画面を切り替える際の処理手順の一例を説明するフローチャート。
【図９】表示画面を切り替える際の処理手順の一例を説明するフローチャート。
【図１０】表示画面を切り替える際の処理手順の一例を説明するフローチャート。
【図１１】表示画面を切り替える際の処理手順の一例を説明するフローチャート。
【発明を実施するための形態】
【００２５】
以下、電子機器、及び電子機器における表示制御方法を具体化した一実施形態を図１〜図１１に従って説明する。
図１は、電子機器の一例である複合機２０を備える処理管理システム１０を図示している。図１に示すように、この処理管理システム１０は、管理サーバー４０と、ＬＡＮ（Local Area Network）などのネットワーク１１を通じて管理サーバー４０と通信可能な複数の複合機２０とを備えている。また、処理管理システム１０には、ユーザーによって利用される情報端末１２がネットワーク１１に接続されている。
【００２６】
複合機２０は、用紙などの媒体に印刷を施すインクジェット方式の印刷部２１と、媒体に記憶されている画像を読み取るスキャン部２２と、ユーザーインターフェース２３と、制御装置２４とを備えている。なお、印刷部２１による印刷方式は、媒体への印刷が可能であれば、ドットインパクト方式、レーザー方式及び感熱方式などのようにインクジェット方式以外の他の方式であってもよい。
【００２７】
複合機２０で実行可能な処理としては、印刷、コピー、スキャン及びファクシミリ（以下、「ＦＡＸ」という。）を含んでいる。例えば、ユーザーが情報端末１２を操作して印刷を要求すると、印刷ジョブが情報端末１２から管理サーバー４０に送信される。そして、この管理サーバー４０から印刷ジョブが各複合機２０の何れか１つの複合機に送信されると、同複合機が印刷ジョブに基づいた印刷を行う。
【００２８】
なお、印刷は、管理サーバー４０から受信した印刷ジョブに基づいた処理であり、管理サーバー４０から受信した情報に基づいた「受信要処理」の一例である。一方、印刷以外の他の処理、すなわちコピー、スキャン及びＦＡＸは、管理サーバー４０からの情報の受信を必要としない「受信不要処理」の一例である。
【００２９】
そして、複合機２０で印刷やコピーなどの処理が実行されると、その処理に関する情報である利用情報が、複合機２０から管理サーバー４０に送信される。この利用情報は、印刷（又はコピー）を行った媒体の数、及び同処理の実行を要求したユーザーに関する情報などを含んでいる。こうした利用情報は、管理サーバー４０で管理される。そして、処理管理システム１０では、管理サーバー４０で管理している利用情報を用いることにより、ユーザー毎又は複数のユーザーからなるグループ毎に例えば課金サービスを行っている。
【００３０】
次に、図２を参照し、複合機２０のユーザーインターフェース２３について説明する。
図２に示すように、ユーザーインターフェース２３は、ユーザーによる入力操作を受け付ける操作部２３１と、表示画面２３２とを備えている。操作部２３１は、表示画面２３２に取り付けられているタッチパネル２３Ａと、押しボタン式の複数のハードキー２３Ｂとを有している。なお、図２では、タッチパネル２３Ａが二点鎖線で示されている。そして、ユーザーによる操作部２３１の操作に起因する入力情報は、複合機２０の制御装置２４に入力される。例えば、表示画面２３２上における「印刷」がタッチされると、タッチパネル２３Ａの操作に関する情報であるパネル操作情報が入力情報として制御装置２４に入力され、制御装置２４は、ユーザーによって印刷が要求されたことを検知することができる。一方、ハードキー２３Ｂが操作されると、ハードキー２３Ｂの操作に関する情報であるキー操作情報が入力情報として制御装置２４に入力される。
【００３１】
次に、図３を参照し、複合機２０の制御装置２４について説明する。
図３に示すように、制御装置２４は、マルチコアプロセッサーを備えている。そして、制御装置２４を構成する複数（この場合、２つ）の制御回路５０，６０のうち、第１の制御回路５０は複合機２０の制御を司っており、第２の制御回路６０は管理サーバー４０との通信を司っている。こうした各制御回路５０，６０は、情報の入出力が互いに可能に構成されている。
【００３２】
第１の制御回路５０は、例えば印刷の要求がユーザーインターフェース２３から入力されたときには、印刷部２１を制御することにより、媒体への印刷を実行する。また、第１の制御回路５０は、例えばコピーの要求がユーザーインターフェース２３から入力されたときには、印刷部２１及びスキャン部２２を制御することにより、コピーを実行する。また、第１の制御回路５０には、ユーザーインターフェース２３の操作部２３１のハードキー２３Ｂが操作されると、ハードキー２３Ｂの操作に関する情報であるキー操作情報が入力情報として入力される。
【００３３】
こうした第１の制御回路５０は、ＣＰＵ５１、ＡＳＩＣ５２、ＲＡＭ５３、不揮発性メモリー５４及びＶＲＡＭ５５を有している。「ＡＳＩＣ」は「Application Specific IC（特定用途向けＩＣ）」の略記であり、「ＶＲＡＭ」は「Video Random Access Memory」の略記である。不揮発性メモリー５４には、ＣＰＵ５１によって実行される各種のプログラム及び必要な設定データなどが記憶されている。ＲＡＭ５３には、ＣＰＵ５１が実行するプログラムや各種の演算結果などのデータが一時的に記憶される。ＶＲＡＭ５５には、第１の制御回路５０が表示画面２３２に表示させる画面であるネイティブ画面に関する情報である画面情報（以下、「ネイティブ画面情報」ともいう。）が記憶される。この点で、ＶＲＡＭ５５により、ネイティブ画面情報を記憶する「ネイティブ画面用記憶部」の一例が構成される。
【００３４】
なお、詳しくは後述するが、ネイティブ画面は、複合機２０で用意した画面のことであり、複合機２０で予め用意されている画面及び第１の制御回路５０で作成した画面を含んでいる。
【００３５】
第２の制御回路６０は、ＣＰＵ６１、ＲＡＭ６２、不揮発性メモリー６３及びＶＲＡＭ６４を有している。不揮発性メモリー６３には、ＣＰＵ６１によって実行される各種のプログラム及び必要な設定データなどが記憶されている。ＲＡＭ６２には、ＣＰＵ６１が実行するプログラムや各種の演算結果などのデータが一時的に記憶される。ＶＲＡＭ６４には、第２の制御回路６０が表示画面２３２に表示させる画面であるブラウザー画面に関する情報である画面情報（以下、「ブラウザー画面情報」ともいう。）が記憶される。なお、ブラウザー画面情報は、管理サーバー４０から受信（ダウンロード）した画面情報であり、第２の制御回路６０では、管理サーバー４０から受信したブラウザー画面情報がＶＲＡＭ６４に記憶される。この点で、ＶＲＡＭ６４により、ブラウザー画面情報を記憶する「ブラウザー画面用記憶部」の一例が構成される。
【００３６】
また、第２の制御回路６０には、ユーザーインターフェース２３の操作部２３１のタッチパネル２３Ａが操作されると、タッチパネル２３Ａの操作に関する情報であるパネル操作情報が入力情報として入力される。そして、第２の制御回路６０は、入力されたパネル操作情報を管理サーバー４０に送信したり、第１の制御回路５０に出力したりする。
【００３７】
また、制御装置２４は、第１の制御回路５０のＶＲＡＭ５５及び第２の制御回路６０のＶＲＡＭ６４とは別にＶＲＡＭ７０を有している。このＶＲＡＭ７０には、表示画面２３２に表示されている画面に関する画面情報が記憶される。この点で、このＶＲＡＭ７０により、「表示情報記憶部」の一例が構成される。こうしたＶＲＡＭ７０には、第１の制御回路５０及び第２の制御回路６０の双方がアクセス可能である。そして、第１の制御回路５０及び第２の制御回路６０は、表示画面２３２を制御するための表示制御ドライバーを有している。そのため、本実施形態の複合機２０にあっては、第１の制御回路５０による表示制御が可能であり、第２の制御回路６０による表示制御が可能である。
【００３８】
具体的には、何れの制御回路によって表示制御を実行させるかについては、第１の制御回路５０によって決定される。すなわち、第１の制御回路５０が、表示画面２３２の制御権を管理している。例えば、第１の制御回路５０が制御権を有している場合、第１の制御回路５０は、ネイティブ画面情報をＶＲＡＭ７０に記憶させ、同ネイティブ画面情報に基づいたネイティブ画面を表示画面２３２に表示させる。一方、第２の制御回路６０が制御権を第１の制御回路５０から譲り受けた場合、すなわち第２の制御回路６０による表示制御が第１の制御回路によって許可されている場合、第２の制御回路６０は、管理サーバー４０からブラウザー画面情報を受信し、同ブラウザー画面情報をＶＲＡＭ７０に記憶させる。そして、第２の制御回路６０は、同ＶＲＡＭ７０に記憶されているブラウザー画面情報に基づいたブラウザー画面を表示画面２３２に表示させる。
【００３９】
次に、図４〜図７を参照し、複合機２０の表示画面２３２に表示される画面について説明する。
図４に示す画面は、複合機２０がログオフされている際に、複合機２０へのログインを促すために表示されるログイン画面Ｎ１である。このログイン画面Ｎ１は、複合機２０の制御装置２４に予め用意されているネイティブ画面である。
【００４０】
図５に示す画面は、複合機２０と管理サーバー４０とが通信可能であり、ユーザーが複合機２０にログインしている場合における処理選択画面Ｂ１の一例である。この処理選択画面Ｂ１には、「印刷」、「コピー」、「スキャン」及び「ＦＡＸ」の他、「その他」が選択可能に表示されている。そして、処理選択画面Ｂ１上で「その他」が選択された場合には複合機２０の各種のメンテナンスや設定が可能となる。なお、こうした処理選択画面Ｂ１は、管理サーバー４０で作成されるブラウザー画面である。
【００４１】
ちなみに、処理選択画面Ｂ１上で「印刷」が選択されると、第２の制御回路６０はその旨を管理サーバー４０に送信する。管理サーバー４０では、複合機２０にログインしているユーザーが選択可能な印刷ジョブを一覧表示するための画面が作成されている。そして、管理サーバー４０は、印刷が選択された旨を第２の制御回路６０から受信しているときに、印刷を実行可能な印刷ジョブを一覧表示するための画面に関するブラウザー画面情報を複合機２０に送信する。また、処理選択画面Ｂ１上で「コピー」などの受信不要処理が選択されると、第２の制御回路６０は、その旨を第１の制御回路５０に出力する。すると、第１の制御回路５０は、選択された処理の実行条件の設定をユーザーに促すための画面を表示画面２３２に表示させる。
【００４２】
図６に示す画面は、処理選択画面Ｂ１上で「印刷」が選択された場合における画面の一例である。この画面は、ユーザーが選択可能な印刷ジョブを一覧表示するジョブリスト画面Ｂ２の一例である。そして、例えばジョブリスト画面Ｂ２上で「第１の印刷ジョブ」が選択された場合、第２の制御回路６０は、第１の印刷ジョブを管理サーバー４０に要求する。そして、管理サーバー４０から第１の印刷ジョブが受信されると、第２の制御回路６０は、第１の印刷ジョブを第１の制御回路５０に出力する。すると、第１の制御回路５０が、同第１の印刷ジョブに基づいた印刷を実行する。なお、こうしたジョブリスト画面Ｂ２は、管理サーバー４０で作成されるブラウザー画面である。
【００４３】
図７に示す画面は、処理選択画面Ｂ１上で「コピー」が選択された場合における画面の一例である。この画面は、コピーを実行させる際に各種の条件（倍率や用紙サイズなど）の選択を促す条件選択画面Ｎ２である。このとき、条件選択画面Ｎ２上で選択された内容は、第２の制御回路６０を介して第１の制御回路５０に入力される。そして、条件の選択が全て完了すると、第１の制御回路５０がコピーを実行する。なお、コピーのような受信不要処理の実行条件の選択を促す条件選択画面Ｎ２は、複合機２０で予め用意されているネイティブ画面である。
【００４４】
次に、図８に示すフローチャートを参照し、管理サーバー４０からの要求により表示画面２３２に表示させる画面をネイティブ画面からブラウザー画面に切り替える際の処理手順の一例について説明する。例えば上記課金サービスに関係する情報をユーザーに報知する場合のように、管理サーバー４０で管理している情報をユーザーに報知する場合に、図８を用いて説明する処理手順で画面が切り替えられる。なお、後述するステップＳ２−１５で表示画面２３２に表示されるブラウザー画面は、図８を用いて説明する処理が開始される前に既に作成されている。
【００４５】
図８に示すように、管理サーバー４０では、ブラウザー画面への切り替えを要求する旨が複合機２０に送信される（ステップＳ１−１１）。この要求には、後述するステップＳ２−１５で表示画面２３２に表示させるブラウザー画面の位置情報であるＵＲＬも含まれている。なお、「ＵＲＬ」とは、「Uniform Resource Locator」の略記である。こうした要求は、複合機２０の制御装置２４において、第２の制御回路６０で受信される。すると、第２の制御回路６０では、受信した管理サーバー４０からの要求（すなわち、上記ＵＲＬも含む要求）が第１の制御回路５０に出力される（ステップＳ２−１１）。
【００４６】
こうした要求が入力されると、第１の制御回路５０では、ネイティブ画面からブラウザー画面への画面切り替えを許可するか否かを判定する切り替え許可判定が実行される（ステップＳ３−１１）。そして、画面切り替えを許可する場合、第１の制御回路５０では、ネイティブ画面からブラウザー画面への切り替えを許可する旨が第２の制御回路６０に出力される（ステップＳ３−１２）。こうした切り替えを許可する旨が入力されると、第２の制御回路６０では、ネイティブ画面からブラウザー画面への切り替えを許可する旨が管理サーバー４０に送信される（ステップＳ２−１２）。
【００４７】
また、第１の制御回路５０では、表示画面２３２にネイティブ画面を表示させるための表示制御が終了される（ステップＳ３−１３）。例えば、ネイティブ画面を表示画面２３２に表示させるために起動していた表示制御用のアプリケーションが終了される。そして、第１の制御回路５０では、ＶＲＡＭ７０に記憶されているネイティブ画面情報を自身のＶＲＡＭ５５に退避させ（ステップＳ３−１４）、ブラウザー画面の表示要求が第２の制御回路６０に出力される（ステップＳ３−１５）。これにより、表示画面２３２に画面を表示させるための制御権が第１の制御回路５０から第２の制御回路６０に移行され、第２の制御回路６０による表示制御が許可される。
【００４８】
すると、第２の制御回路６０では、表示制御が開始される（ステップＳ２−１３）。例えば、ウェブブラウザーが起動される。続いて、第２の制御回路６０では、上記ＵＲＬのブラウザー画面に関するブラウザー画面情報を要求する旨が管理サーバー４０に送信される（ステップＳ２−１４）。こうした旨が受信されると、管理サーバー４０では、第２の制御回路６０によって指定された上記ＵＲＬのブラウザー画面に関するブラウザー画面情報が複合機２０に送信される（ステップＳ１−１３）。こうしたブラウザー画面情報は、複合機２０の第２の制御回路６０で受信（ダウンロード）される。
【００４９】
すると、第２の制御回路６０では、受信したブラウザー画面情報が自身のＶＲＡＭ６４に記憶され、同ブラウザー画面情報がＶＲＡＭ６４からＶＲＡＭ７０に移動される。そして、第２の制御回路６０による表示制御により、ＶＲＡＭ７０に記憶されているブラウザー画面情報に基づくブラウザー画面が表示画面２３２に表示される（ステップＳ２−１５）。この点で、ステップＳ２−１４，Ｓ２−１５により、第２の制御回路６０に、管理サーバー４０からブラウザー画面情報を受信させ、同ブラウザー画面情報に基づいたブラウザー画面を表示画面２３２に表示させる「第２の表示ステップ」の一例が構成される。
【００５０】
次に、図９に示すフローチャートを参照し、第１の制御回路５０からの要求により表示画面２３２に表示させる画像をネイティブ画面からブラウザー画面に切り替える際の処理手順の一例について説明する。ネイティブ画面が表示画面２３２に表示されている状況下でユーザーによって操作部２３１が操作され、上記の処理選択画面Ｂ１（ブラウザー画面の一例）を表示画面２３２に表示させる必要が生じた場合などに、図９を用いて説明する処理手順で画面が切り替えられる。なお、後述するステップＳ２−２６で表示画面２３２に表示されるブラウザー画面は、図９を用いて説明する処理が開始される前に既に作成されている。
【００５１】
図９に示すように、複合機２０において、第１の制御回路５０では、ブラウザー画面への切り替えを要求する旨が第２の制御回路６０に出力される（ステップＳ３−２１）。こうした要求が入力されると、第２の制御回路６０では、第１の制御回路５０から入力された要求が管理サーバー４０に送信される（ステップＳ２−２１）。こうした要求を受信すると、管理サーバー４０では、ブラウザー画面への切り替えを要求する旨が複合機２０に送信される（ステップＳ１−２１）。この要求には、後述するステップＳ２−２６で表示画面２３２に表示させるブラウザー画面の位置情報であるＵＲＬも含まれている。こうした要求は、複合機２０の制御装置２４において、第２の制御回路６０で受信される。すると、第２の制御回路６０では、受信した管理サーバー４０からの要求（すなわち、上記ＵＲＬも含む要求）が第１の制御回路５０に出力される（ステップＳ２−２２）。
【００５２】
こうした要求が入力されると、第１の制御回路５０では、ネイティブ画面からブラウザー画面への画面切り替えを許可するか否かを判定する切り替え許可判定が実行される（ステップＳ３−２２）。そして、画面切り替えを許可する場合、第１の制御回路５０では、ネイティブ画面からブラウザー画面への切り替えを許可する旨が第２の制御回路６０に出力される（ステップＳ３−２３）。こうした切り替えを許可する旨が入力されると、第２の制御回路６０では、ネイティブ画面からブラウザー画面への切り替えを許可する旨が管理サーバー４０に送信される（ステップＳ２−２３）。
【００５３】
一方、上記ステップＳ３−２３を実行した第１の制御回路５０では、表示画面２３２にネイティブ画面を表示させるための表示制御が終了される（ステップＳ３−２４）。例えば、ネイティブ画面を表示画面２３２に表示させるために起動していた表示制御用のアプリケーションが終了される。そして、第１の制御回路５０では、ＶＲＡＭ７０に記憶されているネイティブ画面情報を自身のＶＲＡＭ５５に退避させ（ステップＳ３−２５）、ブラウザー画面の表示要求が第２の制御回路６０に出力される（ステップＳ３−２６）。これにより、表示画面２３２に画面を表示させるための制御権が第１の制御回路５０から第２の制御回路６０に移行され、第２の制御回路６０による表示制御が許可される。
【００５４】
すると、第２の制御回路６０では、表示制御が開始される（ステップＳ２−２４）。例えば、ウェブブラウザーが起動される。続いて、第２の制御回路６０では、上記ＵＲＬのブラウザー画面に関するブラウザー画面情報を要求する旨が管理サーバー４０に送信される（ステップＳ２−２５）。こうした旨が受信されると、管理サーバー４０では、第２の制御回路６０によって指定された上記ＵＲＬのブラウザー画面に関するブラウザー画面情報が複合機２０に送信される（ステップＳ１−２２）。こうしたブラウザー画面情報は、複合機２０の第２の制御回路６０で受信（ダウンロード）される。
【００５５】
すると、第２の制御回路６０では、受信したブラウザー画面情報が自身のＶＲＡＭ６４に記憶され、同ブラウザー画面情報がＶＲＡＭ６４からＶＲＡＭ７０に移動される。そして、第２の制御回路６０による表示制御により、ＶＲＡＭ７０に記憶されているブラウザー画面情報に基づくブラウザー画面が表示画面２３２に表示される（ステップＳ２−２６）。この点で、ステップＳ２−２５，Ｓ２−２６により、第２の制御回路６０に、管理サーバー４０からブラウザー画面情報を受信させ、同ブラウザー画面情報に基づいたブラウザー画面を表示画面２３２に表示させる「第２の表示ステップ」の一例が構成される。
【００５６】
次に、図１０に示すフローチャートを参照し、管理サーバー４０からの要求により表示画面２３２に表示させる画像をブラウザー画面からネイティブ画面に切り替える際の処理手順について説明する。上記の処理選択画面Ｂ１（ブラウザー画面の一例）を表示画面２３２に表示させている状況下で、ユーザーによるタッチパネル２３Ａの操作によって受信不要処理の一例であるコピーが選択された場合などに、図１０を用いて説明する処理手順で画面が切り替えられる。
【００５７】
図１０に示すように、管理サーバー４０では、ネイティブ画面への切り替えを要求する旨が複合機２０に送信される（ステップＳ１−３１）。こうした要求は、複合機２０の制御装置２４において第２の制御回路６０で受信される。すると、第２の制御回路６０では、受信した管理サーバー４０からの要求が第１の制御回路５０に出力される（ステップＳ２−３１）。
【００５８】
こうした要求が入力されると、第１の制御回路５０では、ブラウザー画面からネイティブ画面への画面切り替えを許可するか否かを判定する切り替え許可判定が実行される（ステップＳ３−３１）。そして、画面切り替えを許可する場合、第１の制御回路５０では、表示制御の終了を要求する旨が第２の制御回路６０に出力される（ステップＳ３−３２）。
【００５９】
こうした要求が入力されると、第２の制御回路６０では、表示画面２３２にブラウザー画面を表示させるための表示制御が終了される（ステップＳ２−３２）。例えば、ブラウザー画面を表示画面２３２に表示させるために起動していたウェブブラウザーが終了される。そして、第２の制御回路６０では、ＶＲＡＭ７０に記憶されているブラウザー画面情報を自身のＶＲＡＭ６４に退避させ（ステップＳ２−３３）、表示制御が終了した旨が第１の制御回路５０に出力される（ステップＳ２−３４）。これにより、表示画面２３２に画面を表示させるための制御権が第２の制御回路６０から第１の制御回路５０に戻り、第１の制御回路５０による表示制御が許可される。
【００６０】
すると、第１の制御回路５０では、表示制御が開始される（ステップＳ３−３３）。例えば、ネイティブ画面を表示画面２３２に表示させるための表示制御用のアプリケーションが起動される。続いて、第１の制御回路５０では、例えば条件選択画面Ｎ２（図７参照）に関するネイティブ画面情報をＶＲＡＭ７０に記憶させる。そして、第１の制御回路５０による表示制御により、ＶＲＡＭ７０に記憶されているネイティブ画面情報に基づくネイティブ画面が表示画面２３２に表示される（ステップＳ３−３４）。この点で、ステップＳ３−３４により、第１の制御回路５０に、複合機２０で用意したネイティブ画面情報に基づいたネイティブ画面を表示画面２３２に表示させる「第１の表示ステップ」の一例が構成される。
【００６１】
次に、図１１に示すフローチャートを参照し、第１の制御回路５０からの要求により表示画面２３２に表示させる画像をブラウザー画面からネイティブ画面に切り替える際の処理手順について説明する。
【００６２】
図１１に示すように、複合機２０の第１の制御回路５０では、表示制御の終了を要求する旨が第２の制御回路６０に出力される（ステップＳ３−４１）。
こうした要求が入力されると、第２の制御回路６０では、表示画面２３２にブラウザー画面を表示させるための表示制御が終了される（ステップＳ２−４１）。例えば、ブラウザー画面を表示画面２３２に表示させるために起動していたウェブブラウザーが終了される。そして、第２の制御回路６０では、ＶＲＡＭ７０に記憶されているブラウザー画面情報を自身のＶＲＡＭ６４に退避させ（ステップＳ２−４２）、表示制御が終了した旨が第１の制御回路５０に出力される（ステップＳ２−４３）。これにより、表示画面２３２に画面を表示させるための制御権が第２の制御回路６０から第１の制御回路５０に戻り、第１の制御回路５０による表示制御が許可される。
【００６３】
すると、第１の制御回路５０では、表示制御が開始される（ステップＳ３−４２）。例えば、ネイティブ画面を表示画面２３２に表示させるための表示制御用のアプリケーションが起動される。このとき、第１の制御回路５０では、ネイティブ画面情報がＶＲＡＭ７０に記憶される。すると、第１の制御回路５０による表示制御により、ＶＲＡＭ７０に記憶されているネイティブ画面情報に基づくネイティブ画面が表示画面２３２に表示される（ステップＳ３−４３）。この点で、ステップＳ３−４３により、第１の制御回路５０に、複合機２０で用意したネイティブ画面情報に基づいたネイティブ画面を表示画面２３２に表示させる「第１の表示ステップ」の一例が構成される。
【００６４】
以上、上記実施形態によれば、以下のような効果を得ることができる。
（１）本実施形態の複合機２０では、ネイティブ画面を表示画面２３２に表示させるときには、第１の制御回路５０によって表示制御が行われる。一方、ブラウザー画面を表示画面２３２に表示させるときには、第１の制御回路５０ではなく、管理サーバー４０との通信を司る第２の制御回路６０によって表示制御が行われる。このように表示制御を２つの制御回路５０，６０で分担させることにより、管理サーバー４０から受信したブラウザー画面情報に基づいたブラウザー画面を表示画面２３２に表示させることに伴う第１の制御回路５０の制御負荷の増大を抑制することができる。
【００６５】
（２）表示制御を第１の制御回路５０で行うか第２の制御回路６０で行うかの判断は、第１の制御回路５０によって行われる。そのため、ネイティブ画面からブラウザー画面に切り替える場合、表示制御を行う制御回路が第１の制御回路５０から第２の制御回路６０に円滑に変更されるため、表示画面２３２の内容を円滑に切り替えることができる。同様に、ブラウザー画面からネイティブ画面に切り替える場合、表示制御を行う制御回路が第２の制御回路６０から第１の制御回路５０に円滑に変更されるため、表示画面２３２の内容を円滑に切り替えることができる。
【００６６】
（３）表示制御を行っている制御回路が第１の制御回路５０であっても第２の制御回路６０であっても、タッチパネル２３Ａの操作に関するパネル操作情報は、第２の制御回路６０に入力される。そのため、第１の制御回路５０が表示制御を行っているときにはパネル操作情報を第１の制御回路５０に直接入力させ、第２の制御回路６０が表示制御を行っているときにはパネル操作情報を第２の制御回路６０に直接入力させる構成の場合と比較し、パネル操作情報の入力先を切り替える構成を必要としない分、複合機２０の制御装置２４の構成の複雑化を抑制することができる。
【００６７】
また、第１の制御回路５０が表示制御を行っている場合、パネル操作情報は、第２の制御回路６０を介して第１の制御回路５０に入力される。そのため、第１の制御回路５０では、タッチパネル２３Ａを操作したユーザーの要求に応じた処理を実行することができる。
【００６８】
（４）また、第２の制御回路６０が表示制御を行っている場合、第２の制御回路６０は、入力されたパネル操作情報を管理サーバー４０に送信する。パネル操作情報を第１の制御回路５０に入力させる構成の複合機を比較例の複合機とした場合、同比較例の複合機では、パネル操作情報は、第１の制御回路５０から第２の制御回路６０を介して管理サーバー４０に送信されることとなり、管理サーバー４０にパネル操作情報が伝わるのに遅延が生じやすくなる。この点、本実施形態の複合機２０では、パネル操作情報は第２の制御回路６０に入力されるため、比較例の複合機とは異なり、管理サーバー４０にパネル操作情報が伝わるのに遅延が生じにくい。したがって、複合機２０及び管理サーバー４０を備える処理管理システム１０における処理の高速化に貢献することができる。
【００６９】
（５）一方、表示制御を行っている制御回路が第１の制御回路５０であっても第２の制御回路６０であっても、ハードキー２３Ｂの操作に関するキー操作情報は、第１の制御回路５０に入力される。そのため、第１の制御回路５０が表示制御を行っているときにはキー操作情報を第１の制御回路５０に入力させ、第２の制御回路６０が表示制御を行っているときにはキー操作情報を第２の制御回路６０に入力させる構成の場合と比較し、キー操作情報の入力先を切り替える構成を必要としない分、複合機２０の制御装置２４の構成の複雑化を抑制することができる。
【００７０】
（６）ネイティブ画面からブラウザー画面に切り替える際には、ネイティブ画面情報がＶＲＡＭ７０から第１の制御回路５０のＶＲＡＭ５５に退避される。そのため、ユーザーによるハードキー２３Ｂの操作によって表示画面２３２上の画面を１つ前の画面に戻すことが要求されたときには、ＶＲＡＭ５５に退避されたネイティブ画面情報をＶＲＡＭ７０に戻し、制御権を第２の制御回路６０から第１の制御回路５０に戻すことにより、表示画面２３２上の表示を１つ前の画面に速やかに戻すことができる。すなわち、表示画面２３２の表示内容の切り替えの高速化に貢献することができる。
【００７１】
（７）同様に、ブラウザー画面からネイティブ画面に切り替える際には、ブラウザー画面情報がＶＲＡＭ７０から第２の制御回路６０のＶＲＡＭ６４に退避される。そのため、ユーザーによるハードキー２３Ｂの操作によって表示画面２３２上の画面を１つ前の画面に戻すことが要求されたときには、ＶＲＡＭ６４に退避されたブラウザー画面情報をＶＲＡＭ７０に戻し、制御権を第１の制御回路５０から第２の制御回路６０に譲ることにより、表示画面２３２上の表示を１つ前の画面に速やかに戻すことができる。すなわち、表示画面２３２の表示内容の切り替えの高速化に貢献することができる。
【００７２】
なお、上記実施形態は以下のように変更してもよい。
・ブラウザー画面からネイティブ画面に切り替えるに際し、ブラウザー画面情報をＶＲＡＭ７０から第２の制御回路６０のＶＲＡＭ６４に退避させなくてもよい。
【００７３】
・ネイティブ画面からブラウザー画面に切り替えるに際し、ネイティブ画面情報をＶＲＡＭ７０から第１の制御回路５０のＶＲＡＭ５５に退避させなくてもよい。
・ハードキー２３Ｂの操作に関するキー操作情報を、第２の制御回路６０に直接入力させるようにしてもよい。この場合、キー操作情報を第１の制御回路５０に入力させる必要があるときには、第２の制御回路６０からキー操作情報を第１の制御回路５０に入力させるようにすることが好ましい。
【００７４】
・タッチパネル２３Ａの操作に関するパネル操作情報を、第１の制御回路５０に直接入力させるようにしてもよい。この場合、第２の制御回路６０が表示制御を行っている状況下でパネル操作情報が第１の制御回路５０に入力されたときには、同パネル操作情報を、第１の制御回路５０から第２の制御回路６０に出力し、同第２の制御回路６０から管理サーバー４０に送信させるようにすることが好ましい。
【００７５】
・複合機２０の制御装置２４は、タッチパネル２３Ａの操作に関するパネル操作情報の入力先を切り替えるための切り替え回路を備えた構成であってもよい。この場合、切り替え回路は、第１の制御回路５０が表示制御を行っているときにはパネル操作情報を第１の制御回路５０に入力させる一方、第２の制御回路６０が表示制御を行っているときにはパネル操作情報を第２の制御回路６０に入力させるようにしてもよい。
【００７６】
・複合機２０の制御装置２４は、ハードキー２３Ｂの操作に関するキー操作情報の入力先を切り替えるための切り替え回路を備えた構成であってもよい。この場合、切り替え回路は、第１の制御回路５０が表示制御を行っているときにはキー操作情報を第１の制御回路５０に入力させる一方、第２の制御回路６０が表示制御を行っているときにはキー操作情報を第２の制御回路６０に入力させるようにしてもよい。
【００７７】
・表示制御を第１の制御回路５０で行うのか第２の制御回路６０で行うのかを、第２の制御回路６０で決定させるようにしてもよい。この場合、第１の制御回路５０は、第２の制御回路６０から制御権を譲り受けたときに、ネイティブ画面を表示画面２３２に表示させるべく表示制御を実行することとなる。
【００７８】
・管理サーバー４０からのブラウザー画面情報の受信（ダウンロード）を、ブラウザー画面の表示要求が第１の制御回路５０から第２の制御回路６０に出力されるタイミングよりも前に実行させてもよい。この場合、管理サーバー４０から受信したブラウザー画面情報は、第２の制御回路６０のＶＲＡＭ６４に記憶させておく。そして、第２の制御回路６０は、ブラウザー画面の表示要求が第１の制御回路５０から入力されてから、自身のＶＲＡＭ６４に記憶されているブラウザー画面情報をＶＲＡＭ７０に移動させ、同ブラウザー画面情報に基づいたブラウザー画面を表示画面２３２に表示させるようにしてもよい。
【００７９】
・電子機器は、表示画面と複数の制御回路とを備えるのであれば、複合機以外の他の電子機器であってもよい。例えば、電子機器は、印刷のみが実行可能なプリンターであってもよいし、コピーのみが実行可能なコピー機であってもよい。
【００８０】
次に、上記実施形態及び別の実施形態から把握できる技術的思想を以下に追記する。
（イ）前記第２の制御回路には、ブラウザー画面用記憶部が設けられ、
前記管理サーバーから受信した画面情報をブラウザー画面情報とし、同ブラウザー画面情報に基づいた画面をブラウザー画面とした場合、
前記第２の制御回路は、前記表示画面に表示する画面を、前記ブラウザー画面から、前記ネイティブ画面情報に基づいたネイティブ画面に切り替えるときには、前記表示情報記憶部に記憶されている前記ブラウザー画面情報を前記ブラウザー画面用記憶部に退避させ、
前記第１の制御回路は、前記表示画面に表示する画面を前記ブラウザー画面から前記ネイティブ画面に切り替えるときには、前記ブラウザー画面情報が前記ブラウザー画面用記憶部に退避されたことを契機に、前記ネイティブ画面情報を前記表示データ記憶部に記憶させ、同ネイティブ画面情報に基づいた前記ネイティブ画面を前記表示画面に表示させることが好ましい。
【００８１】
上記構成によれば、ブラウザー画面からネイティブ画面に切り替える際には、ブラウザー画面情報が表示情報記憶部からブラウザー画面用記憶部に退避される。そのため、表示画面上の画面を１つ前の画面に戻すことをユーザーが要求したときには、ブラウザー画面用記憶部に退避されたブラウザー画面情報を表示情報記憶部に戻すことにより、表示画面上の表示を１つ前の画面に速やかに戻すことができる。すなわち、表示画面の表示内容の切り替えの高速化に貢献することができる。
【００８２】
（ロ）前記電子機器は、媒体に対して印刷を施す印刷部を有し、前記第１の制御回路が、前記印刷部の駆動を制御することが好ましい。
【符号の説明】
【００８３】
１１…ネットワーク、２０…電子機器の一例である複合機、２３…ユーザーインターフェース、２３２…表示画面、２３Ａ…タッチパネル、２３Ｂ…ハードキー、４０…管理サーバー、５０…制御回路、５５…ネイティブ画面用記憶部の一例であるＶＲＡＭ、６０…制御回路、６４…ブラウザー画面用記憶部の一例であるＶＲＡＭ、７０…表示情報記憶部の一例であるＶＲＡＭ。
【図１】
2016058952.tif 000003
【図２】
2016058952.tif 000004
【図３】
2016058952.tif 000005
【図４】
2016058952.tif 000006
【図５】
2016058952.tif 000007
【図６】
2016058952.tif 000008
【図７】
2016058952.tif 000009
【図８】
2016058952.tif 000010
【図９】
2016058952.tif 000011
【図１０】
2016058952.tif 000012
【図１１】
2016058952.tif 000013